(57)【要約】【課題】複数のレンズ保持部材を備え、設計を容易としつつ、小型化できるレンズ駆動装置を提供する。【解決手段】本発明のレンズ駆動装置の一つの態様は、第１レンズ保持部材（３１）と、第１レンズ保持部材と所定方向に並んで配置された第２レンズ保持部材（３２）と、第１レンズ保持部材を駆動する第１駆動部（３０Ａ）と、第２レンズ保持部材を駆動する第２駆動部（３０Ｂ）と、を備え、第１駆動部は、第１レンズ保持部材に設けられた第１コイル（３３）と、第１コイルと対向する磁石と、を有し、第２駆動部は、第２レンズ保持部材に設けられた第２コイル（３４）と、第２コイルと対向する磁石と、を有し、第１コイルと第２コイルとの間には、兼用磁石（４３）が配置され、兼用磁石は、第１コイル側の磁極と第２コイル側の磁極とが互いに異なり、かつ、第１駆動部の磁石と第２駆動部の磁石とを兼ねる。【選択図】図４
2019090844.tif 000002
【特許請求の範囲】
【請求項１】
レンズ体を保持可能な第１レンズ保持部材と、
レンズ体を保持可能で、前記第１レンズ保持部材と所定方向に並んで配置された第２レンズ保持部材と、
前記第１レンズ保持部材と前記第２レンズ保持部材とをそれぞれ移動可能に保持する本体部と、
前記第１レンズ保持部材を駆動する第１駆動部と、
前記第２レンズ保持部材を駆動する第２駆動部と、
を備え、
前記第１駆動部は、前記第１レンズ保持部材に設けられた第１コイルと、前記第１コイルと対向する磁石と、を有し、
前記第２駆動部は、前記第２レンズ保持部材に設けられた第２コイルと、前記第２コイルと対向する磁石と、を有し、
前記第１コイルと前記第２コイルとの間には、兼用磁石が配置され、
前記兼用磁石は、前記第１コイル側の磁極と前記第２コイル側の磁極とが互いに異なり、かつ、前記第１駆動部の前記磁石と前記第２駆動部の前記磁石とを兼ねる、レンズ駆動装置。
【請求項２】
前記第１駆動部は、前記所定方向において、前記第１コイルを挟んで前記兼用磁石と反対側に配置された第１磁石を有し、
前記第２駆動部は、前記所定方向において、前記第２コイルを挟んで前記兼用磁石と反対側に配置された第２磁石を有し、
前記第１磁石の前記第１コイル側の磁極と前記兼用磁石の前記第１コイル側の磁極とは、互いに同じであり、
前記第２磁石の前記第２コイル側の磁極と前記兼用磁石の前記第２コイル側の磁極とは、互いに同じである、請求項１に記載のレンズ駆動装置。
【請求項３】
前記本体部は、前記第１レンズ保持部材、前記第２レンズ保持部材、前記第１駆動部および前記第２駆動部を収容する磁性体製のカバーを有し、
前記第１磁石および前記第２磁石は、前記カバーの内側面に固定され、
前記兼用磁石の前記所定方向の寸法は、前記第１磁石の前記所定方向の寸法および前記第２磁石の前記所定方向の寸法よりも大きい、請求項２に記載のレンズ駆動装置。
【請求項４】
前記本体部は、前記第１レンズ保持部材、前記第２レンズ保持部材、前記第１駆動部および前記第２駆動部を収容する非磁性体製のカバーを有し、
前記兼用磁石の前記所定方向の寸法は、前記第１磁石の前記所定方向の寸法および前記第２磁石の前記所定方向の寸法と同じである、請求項２に記載のレンズ駆動装置。
【請求項５】
前記第１コイルは、前記第１レンズ保持部材に対して、前記所定方向と直交する第１中心軸周りに巻かれており、
前記第２コイルは、前記第２レンズ保持部材に対して、前記所定方向と直交し前記第１中心軸と平行な第２中心軸周りに巻かれており、
前記第１コイルの巻かれる向きと前記第２コイルの巻かれる向きとは、互いに同じである、請求項１から４のいずれか一項に記載のレンズ駆動装置。
【請求項６】
前記兼用磁石は、前記第１コイルと対向する第１面と前記第２コイルと対向する第２面とを有し、かつ、前記所定方向と直交する方向に延び、
前記第１面の磁極と前記第２面の磁極とは、互いに異なる、請求項１から５のいずれか一項に記載のレンズ駆動装置。
【発明の詳細な説明】
【技術分野】
【０００１】
本発明は、レンズ駆動装置に関する。
【背景技術】
【０００２】
複数のカメラユニットを含むカメラモジュールを搭載したカメラが知られている（例えば、特許文献１参照）。特許文献１のカメラユニットは、それぞれボイスコイルモータ（ＶＣＭ：Ｖｏｉｃｅ  Ｃｏｉｌ  Ｍｏｔｏｒ）を備えるレンズユニットを含む。
【先行技術文献】
【特許文献】
【０００３】
【特許文献１】特開２０１４−１０６２７４号公報
【発明の概要】
【発明が解決しようとする課題】
【０００４】
上記のＶＣＭには磁石が用いられる。そのため、複数のレンズユニットを一つのカメラモジュールに搭載する場合、各レンズユニットの磁石同士の干渉が問題となり、各レンズユニットの磁気回路等の設計が困難になる問題があった。一方、例えば、レンズユニット同士を十分に離して配置すれば各レンズユニットの磁石同士の干渉は抑制できるが、各レンズユニット同士を所望する位置に設けられなくなる場合があり、カメラモジュール全体も大型化する問題がある。
【０００５】
本発明の一つの態様は、上記問題点に鑑みて、複数のレンズ保持部材を備え、設計を容易としつつ、小型化できるレンズ駆動装置を提供することを目的の一つとする。
【課題を解決するための手段】
【０００６】
本発明のレンズ駆動装置の一つの態様は、レンズ体を保持可能な第１レンズ保持部材と、レンズ体を保持可能で、前記第１レンズ保持部材と所定方向に並んで配置された第２レンズ保持部材と、前記第１レンズ保持部材と前記第２レンズ保持部材とをそれぞれ移動可能に保持する本体部と、前記第１レンズ保持部材を駆動する第１駆動部と、前記第２レンズ保持部材を駆動する第２駆動部と、を備え、前記第１駆動部は、前記第１レンズ保持部材に設けられた第１コイルと、前記第１コイルと対向する磁石と、を有し、前記第２駆動部は、前記第２レンズ保持部材に設けられた第２コイルと、前記第２コイルと対向する磁石と、を有し、前記第１コイルと前記第２コイルとの間には、兼用磁石が配置され、前記兼用磁石は、前記第１コイル側の磁極と前記第２コイル側の磁極とが互いに異なり、かつ、前記第１駆動部の前記磁石と前記第２駆動部の前記磁石とを兼ねる。
【０００７】
前記第１駆動部は、前記所定方向において、前記第１コイルを挟んで前記兼用磁石と反対側に配置された第１磁石を有し、前記第２駆動部は、前記所定方向において、前記第２コイルを挟んで前記兼用磁石と反対側に配置された第２磁石を有し、前記第１磁石の前記第１コイル側の磁極と前記兼用磁石の前記第１コイル側の磁極とは、互いに同じであり、前記第２磁石の前記第２コイル側の磁極と前記兼用磁石の前記第２コイル側の磁極とは、互いに同じである構成としてもよい。
【０００８】
前記本体部は、前記第１レンズ保持部材、前記第２レンズ保持部材、前記第１駆動部および前記第２駆動部を収容する磁性体製のカバーを有し、前記第１磁石および前記第２磁石は、前記カバーの内側面に固定され、前記兼用磁石の前記所定方向の寸法は、前記第１磁石の前記所定方向の寸法および前記第２磁石の前記所定方向の寸法よりも大きい構成としてもよい。
【０００９】
前記本体部は、前記第１レンズ保持部材、前記第２レンズ保持部材、前記第１駆動部および前記第２駆動部を収容する非磁性体製のカバーを有し、前記兼用磁石の前記所定方向の寸法は、前記第１磁石の前記所定方向の寸法および前記第２磁石の前記所定方向の寸法と同じである構成としてもよい。
【００１０】
前記第１コイルは、前記第１レンズ保持部材に対して、前記所定方向と直交する第１中心軸周りに巻かれており、前記第２コイルは、前記第２レンズ保持部材に対して、前記所定方向と直交し前記第１中心軸と平行な第２中心軸周りに巻かれており、前記第１コイルの巻かれる向きと前記第２コイルの巻かれる向きとは、互いに同じである構成としてもよい。
【００１１】
前記兼用磁石は、前記第１コイルと対向する第１面と前記第２コイルと対向する第２面とを有し、かつ、前記所定方向と直交する方向に延び、前記第１面の磁極と前記第２面の磁極とは、互いに異なる構成としてもよい。
【発明の効果】
【００１２】
本発明の一つの態様によれば、複数のレンズ保持部材を備え、設計を容易としつつ、小型化できるレンズ駆動装置が提供される。
【図面の簡単な説明】
【００１３】
【図１】図１は、第１実施形態のレンズ駆動装置を示す斜視図である。
【図２】図２は、第１実施形態のレンズ駆動装置を示す分解斜視図である。
【図３】図３は、第１実施形態のレンズ駆動装置の部分を示す分解斜視図である。
【図４】図４は、第１実施形態のレンズ駆動装置を示す図であって、図１におけるIV−IV断面図である。
【図５】図５は、第１実施形態のレンズ駆動装置の部分を破断して示す部分断面斜視図である。
【図６】図６は、第２実施形態のレンズ駆動装置を示す断面図である。
【発明を実施するための形態】
【００１４】
以下、図面を参照しながら、本発明の実施形態に係るレンズ駆動装置について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１５】
以下の説明においては、各図に示した３次元直交座標系（ＸＹＺ座標系）を適宜参照しつつ、各部の位置関係について説明する。Ｙ軸方向は、第１レンズ保持部材と第２レンズ保持部材とが並ぶ所定方向とする。Ｚ軸方向は、Ｙ軸方向と直交する一方向とする。Ｘ軸方向は、Ｙ軸方向およびＺ軸方向の両方と直交する方向とする。
【００１６】
また、以下の説明においては、Ｚ軸方向を「上下方向」と呼ぶ場合があり、Ｙ軸方向を「左右方向（所定方向）」と呼ぶ場合があり、Ｘ軸方向を「前後方向」と呼ぶ場合がある。Ｚ軸方向の正の側（＋Ｚ側）を「上側」と呼ぶ場合があり、Ｚ軸方向の負の側（−Ｚ側）を「下側」と呼ぶ場合がある。Ｙ軸方向の正の側（＋Ｙ側）を「右側」と呼ぶ場合があり、Ｙ軸方向の負の側（−Ｙ側）を「左側」と呼ぶ場合がある。なお、上下方向、左右方向、前後方向、上側、下側、右側および左側は、単に各部の位置関係を説明するための名称であり、実際の各部の位置関係および実際のレンズ駆動装置の使用態様および姿勢を限定しない。
【００１７】
＜第１実施形態＞
図１は、本実施形態のレンズ駆動装置１０を示す斜視図である。図２は、本実施形態のレンズ駆動装置１０を示す分解斜視図である。図３は、本実施形態のレンズ駆動装置１０の部分を示す分解斜視図である。図４は、本実施形態のレンズ駆動装置１０を示す図であって、図１におけるIV−IV断面図である。図５は、本実施形態のレンズ駆動装置１０の部分を破断して示す部分断面斜視図である。図３においては、カバー２０、板バネ保持部材２５、上側板バネ部材５０および支持部材４４の図示を省略している。
【００１８】
レンズ駆動装置１０は、図１から図３に示すように、第１レンズ保持部材３１と、第２レンズ保持部材３２と、本体部１０ａと、第１駆動部３０Ａと、第２駆動部３０Ｂと、を備える。
【００１９】
本体部１０ａは、レンズ駆動装置１０の筐体を含み、第１レンズ保持部材３１、第２レンズ保持部材３２、第１駆動部３０Ａおよび第２駆動部３０Ｂを収容し、かつ、保持する部分である。第１レンズ保持部材３１および第２レンズ保持部材３２は、図示しないレンズ体を保持可能である。第１駆動部３０Ａは、第１レンズ保持部材３１を駆動し、第２駆動部３０Ｂは、第２レンズ保持部材３２を駆動する。以下、各部について詳細に説明する。
【００２０】
第１レンズ保持部材３１は、第１中心軸Ｊ１を中心として上下方向に延びる筒状である。第１中心軸Ｊ１は、上下方向と平行な仮想軸である。第１レンズ保持部材３１は、図３に示すように、筒状部３１ａと、突出部３５ａ，３５ｂ，３５ｃ，３５ｄと、を有する。
【００２１】
筒状部３１ａは、第１中心軸Ｊ１を中心として上下方向に延びる円筒状である。筒状部３１ａの内側面には、周方向に沿ってネジ溝が形成されている。ネジ溝はレンズ体の保持機構であり、筒状部３１ａのネジ溝にレンズ体が嵌め込まれることで第１レンズ保持部材３１にレンズ体が保持される。第１レンズ保持部材３１に保持されるレンズ体の光軸は、例えば、第１中心軸Ｊ１と一致する。したがって、Ｚ軸方向である上下方向は、第１レンズ保持部材３１に保持されるレンズ体の光軸方向となる。なお、レンズ体の第１レンズ保持部材３１への固定は、ネジによるものに限られず、接着剤によるものでもよい。
【００２２】
突出部３５ａ〜３５ｄは、筒状部３１ａの外周面から径方向外側に突出している。突出部３５ａと突出部３５ｂとは、互いに左右方向の反対向きに突出している。突出部３５ｃと突出部３５ｄとは、互いに前後方向の反対向きに突出している。第１レンズ保持部材３１は、例えば、金型を用いて一体成型された樹脂製の部材である。
【００２３】
第２レンズ保持部材３２は、第２中心軸Ｊ２を中心として上下方向に延びる筒状である。第２中心軸Ｊ２は、上下方向と平行な仮想軸である。第２中心軸Ｊ２は、前後方向において第１中心軸Ｊ１と同じ位置にあり、第１中心軸Ｊ１の右側（＋Ｙ側）に離れた位置にある。
【００２４】
第２レンズ保持部材３２に保持されるレンズ体の光軸は、例えば、第２中心軸Ｊ２と一致する。したがって、上下方向は、第２レンズ保持部材３２に保持されるレンズ体の光軸方向でもある。第１レンズ保持部材３１に保持されるレンズ体と第２レンズ保持部材３２に保持されるレンズ体とは、互いに同じ種類のレンズ体であってもよいし、異なる種類のレンズ体であってもよい。
【００２５】
第２レンズ保持部材３２は、第１レンズ保持部材３１と左右方向（所定方向）に並んで配置されている。図３では、第２レンズ保持部材３２は、第１レンズ保持部材３１の右側（＋Ｙ側）に配置されている。第１レンズ保持部材３１の形状と第２レンズ保持部材３２の形状とは、互いに同じである。第２レンズ保持部材３２のその他の構成は、第１レンズ保持部材３１の構成と同様である。
【００２６】
本体部１０ａは、第１レンズ保持部材３１と第２レンズ保持部材３２とをそれぞれ上下方向（光軸方向）に移動可能に保持している。本体部１０ａは、図２に示すように、カバー２０と、板バネ保持部材２５と、上側板バネ部材５０と、下側板バネ部材６０Ａ，６０Ｂと、ベース部７０と、を有する。
【００２７】
カバー２０は、第１レンズ保持部材３１、第２レンズ保持部材３２、第１駆動部３０Ａおよび第２駆動部３０Ｂを収容している。本実施形態においてカバー２０は、鉄鋼等の金属からなる磁性体製である。カバー２０は、図１に示すように、天板部２１と、側板部２２と、内壁部２３ａ，２３ｂ，２３ｃ，２３ｄ，２４ａ，２４ｂ，２４ｃ，２４ｄと、を有する。
【００２８】
天板部２１は、上下方向と直交する平面（ＸＹ平面）に拡がる板状である。天板部２１の上側から下側に視た（以下、平面視）形状は、左右方向に長い略長方形状である。天板部２１には、天板部２１を上下方向に貫通する天板部貫通孔２１ａ，２１ｂが形成されている。天板部貫通孔２１ａと天板部貫通孔２１ｂとは、左右方向に並んで形成されている。天板部貫通孔２１ａ，２１ｂの平面視形状は、略円形状である。天板部貫通孔２１ａの中心には、第１中心軸Ｊ１が通る。天板部貫通孔２１ｂの中心には、第２中心軸Ｊ２が通る。
【００２９】
側板部２２は、天板部２１の外縁から下側に延びている。側板部２２は、図１および図４に示すように、第１レンズ保持部材３１、第２レンズ保持部材３２、第１駆動部３０Ａおよび第２駆動部３０Ｂの周りを囲む枠状である。
【００３０】
内壁部２３ａ〜２３ｄは、図１に示すように、天板部貫通孔２１ａの内縁から下側に延びている。内壁部２３ａ〜２３ｄは、天板部貫通孔２１ａの周方向に沿って等間隔に配置されている。内壁部２３ａ〜２３ｄは、第１中心軸Ｊ１の周方向において隣り合う突出部３５ａ〜３５ｄ同士の間に配置され、隣り合う突出部３５ａ〜３５ｄと周方向に対向している。一例として、図５に示すように、内壁部２３ａは、第１中心軸Ｊ１の周方向において隣り合う突出部３５ａと突出部３５ｃとの間に配置され、隣り合う突出部３５ａおよび突出部３５ｃと周方向に対向している。
【００３１】
内壁部２３ａ〜２３ｄは、第１中心軸Ｊ１の径方向において筒状部３１ａと後述する第１コイル３３との間に配置され、筒状部３１ａおよび第１コイル３３と径方向に対向している。
【００３２】
内壁部２４ａ〜２４ｄは、図１に示すように、天板部貫通孔２１ｂの内縁から下側に延びている。内壁部２４ａ〜２４ｄは、天板部貫通孔２１ｂの周方向に沿って等間隔に配置されている。内壁部２４ａ〜２４ｄのその他の構成は、第２レンズ保持部材３２および第２コイル３４に対して配置されている点を除いて、内壁部２３ａ〜２３ｄの構成と同様である。
【００３３】
板バネ保持部材２５は、図２に示すように、上下方向と直交する平面（ＸＹ平面）に拡がる板状である。板バネ保持部材２５には、板バネ保持部材２５を上下方向に貫通する保持部材貫通孔２５ａ，２５ｂが形成されている。保持部材貫通孔２５ａ，２５ｂの平面視形状は、略正方形状である。保持部材貫通孔２５ａの中心には、第１中心軸Ｊ１が通っている。保持部材貫通孔２５ｂの中心には、第２中心軸Ｊ２が通っている。
【００３４】
保持部材貫通孔２５ａの内縁は、図４に示すように、天板部貫通孔２１ａの内縁よりも径方向外側に位置している。保持部材貫通孔２５ｂの内縁は、天板部貫通孔２１ｂの内縁よりも径方向外側に位置している。板バネ保持部材２５は、カバー２０の内部に嵌め合わされている。板バネ保持部材２５は、天板部２１の下面に接着剤等によって固定されている。
【００３５】
上側板バネ部材５０は、図２に示すように、上下方向と直交する平面（ＸＹ平面）に拡がる板状である。上側板バネ部材５０は、金属製である。上側板バネ部材５０は、例えば、プレス加工によって製造される。
【００３６】
上側板バネ部材５０は、固定部５１と、保持部５２ａ，５２ｂ，５３ａ，５３ｂと、バネ部５２ｃ，５３ｃと、を有する。固定部５１には、固定部５１を上下方向に貫通するバネ部材貫通孔５１ａ，５１ｂが形成されている。バネ部材貫通孔５１ａは、平面視において保持部材貫通孔２５ａとほぼ重なっている。バネ部材貫通孔５１ｂは、平面視において保持部材貫通孔２５ｂとほぼ重なっている。固定部５１は、板バネ保持部材２５の下面に接着剤等によって固定されている。
【００３７】
保持部５２ａ，５２ｂは、バネ部材貫通孔５１ａの内側に配置されている。保持部５２ａと保持部５２ｂとは、第１中心軸Ｊ１を挟んで互いに左右方向の反対側に配置されている。保持部５２ａ，５２ｂの前後方向の両端には、それぞれバネ部５２ｃが接続されている。バネ部５２ｃは、保持部５２ａ，５２ｂをバネ部材貫通孔５１ａの内縁と接続している。バネ部５２ｃは、上下方向に弾性変形可能である。
【００３８】
保持部５２ａは、図４および図５に示すように、第１レンズ保持部材３１の突出部３５ａの上面に固定されている。保持部５２ｂは、第１レンズ保持部材３１の突出部３５ｂの上面に固定されている。保持部５２ａ，５２ｂは、接着剤等によって第１レンズ保持部材３１に固定される。
【００３９】
保持部５３ａ，５３ｂは、図２に示すように、バネ部材貫通孔５１ｂの内側に配置されている。保持部５３ａと保持部５３ｂとは、第２中心軸Ｊ２を挟んで互いに左右方向の反対側に配置されている。保持部５３ａ，５３ｂの前後方向の両端には、それぞれバネ部５３ｃが接続されている。バネ部５３ｃは、保持部５３ａ，５３ｂをバネ部材貫通孔５１ｂの内縁と接続している。バネ部５３ｃは、上下方向に弾性変形可能である。保持部５３ａ，５３ｂは、保持部５２ａ，５２ｂと同様に、第２レンズ保持部材３２の突出部の上面に固定されている。
【００４０】
下側板バネ部材６０Ａ，６０Ｂは、図３に示すように、上下方向と直交する平面（ＸＹ平面）に拡がる板状である。下側板バネ部材６０Ａと下側板バネ部材６０Ｂとは、左右方向に並んで配置されている。下側板バネ部材６０Ａ，６０Ｂは、金属製である。下側板バネ部材６０Ａ，６０Ｂは、例えば、プレス加工によって製造される。
【００４１】
下側板バネ部材６０Ａは、互いに分離された第１部分６１と、第２部分６２と、を有する。第１部分６１と第２部分６２とは、第１中心軸Ｊ１を挟んで互いに左右方向の反対側に配置されている。第１部分６１は、固定部６１ａと、保持部６１ｂと、バネ部６１ｃと、を有する。固定部６１ａは、前後方向に延びている。固定部６１ａは、ベース部７０の上面に溶接あるいは接着等の適宜の手段によって固定されている。
【００４２】
保持部６１ｂは、第１中心軸Ｊ１の径方向において、固定部６１ａよりも内側に配置されている。保持部６１ｂは、第１中心軸Ｊ１の周方向に延びている。保持部６１ｂの周方向の両端には、それぞれバネ部６１ｃが接続されている。バネ部６１ｃは、保持部６１ｂと固定部６１ａとを接続している。バネ部６１ｃは、上下方向に弾性変形可能である。保持部６１ｂは、第１レンズ保持部材３１の下面に接着剤等によって固定されている。
【００４３】
第２部分６２は、固定部６２ａと、保持部６２ｂと、バネ部６２ｃと、を有する。第２部分６２は、第１中心軸Ｊ１を挟んで左右方向に反転している点を除いて、第１部分６１と同様である。
【００４４】
第１レンズ保持部材３１は、上側板バネ部材５０の保持部５２ａ，５２ｂと下側板バネ部材６０Ａの保持部６１ｂ，６２ｂとによって上下方向に挟持され、上下方向（光軸方向）に移動可能に保持されている。
【００４５】
下側板バネ部材６０Ｂは、互いに分離された第３部分６３と、第４部分６４と、を有する。第３部分６３と第４部分６４とは、第２中心軸Ｊ２を挟んで互いに左右方向の反対側に配置されている。第３部分６３の構成は、第２レンズ保持部材３２に対して設けられる点を除いて第１部分６１の構成と同様である。第４部分６４の構成は、第２レンズ保持部材３２に対して設けられる点を除いて第２部分６２の構成と同様である。なお、第２部分６２と第３部分６３とは離間しており、互いに絶縁されている。
【００４６】
第２レンズ保持部材３２は、上側板バネ部材５０の保持部５３ａ，５３ｂと下側板バネ部材６０Ｂの保持部とによって上下方向に挟持され、上下方向（光軸方向）に移動可能に保持されている。
【００４７】
ベース部７０は、左右方向に長い略直方体状である。ベース部７０は、ベース部本体７１と、第１金属板部材７２と、第２金属板部材７３と、を有する。ベース部本体７１は、例えば、樹脂製である。
【００４８】
ベース部本体７１には、ベース部本体７１を上下方向に貫通するベース部貫通孔７１ａ，７１ｂが形成されている。ベース部貫通孔７１ａの平面視形状は、中心を第１中心軸Ｊ１が通る略円形状である。ベース部貫通孔７１ｂの平面視形状は、中心を第２中心軸Ｊ２が通る略円形状である。ベース部貫通孔７１ａの内縁は、平面視において第１レンズ保持部材３１の内縁とほぼ重なっている。ベース部貫通孔７１ｂの内縁は、平面視において第２レンズ保持部材３２の内縁とほぼ重なっている。
【００４９】
第１金属板部材７２および第２金属板部材７３は、ベース部本体７１に埋め込まれて保持されている。ベース部７０は、例えば、第１金属板部材７２および第２金属板部材７３が挿入された金型内に樹脂を流し込むインサート成型によって製造される。
【００５０】
第１金属板部材７２は、互いに絶縁された第１部材７２ａと、第２部材７２ｂと、を有する。第１部材７２ａと第２部材７２ｂとは、左右方向に間隔を空けて配置されている。第１部材７２ａは、ベース部本体７１の前後方向の一端（＋Ｘ側の端部）における左側（−Ｙ側）の端部に配置されている。第２部材７２ｂは、ベース部本体７１の前後方向の一端（＋Ｘ側の端部）における左右方向の中央近傍に配置されている。
【００５１】
第１部材７２ａは、第１接続部７２ｃと、第１端子部７２ｄと、を有する。第１接続部７２ｃは、ベース部７０の上面において露出している。第１接続部７２ｃには、下側板バネ部材６０Ａの第１部分６１における固定部６１ａが電気的に接続されている。第１端子部７２ｄは、ベース部本体７１から下側に突出している。
【００５２】
第２部材７２ｂは、第２接続部７２ｅと、第２端子部７２ｆと、を有する。第２接続部７２ｅは、ベース部７０の上面において露出している。第２接続部７２ｅには、下側板バネ部材６０Ａの第２部分６２における固定部６２ａが電気的に接続されている。第２端子部７２ｆは、ベース部本体７１から下側に突出している。第１端子部７２ｄと第２端子部７２ｆとには、図示しない外部電源の異極がそれぞれ接続される。
【００５３】
第２金属板部材７３は、互いに絶縁された第１部材７３ａと、第２部材７３ｂと、を有する。第１部材７３ａと第２部材７３ｂとは、左右方向に間隔を空けて配置されている。第１部材７３ａは、ベース部本体７１の前後方向の一端（＋Ｘ側の端部）における左右方向の中央近傍に配置されている。第２部材７３ｂは、ベース部本体７１の前後方向の一端（＋Ｘ側の端部）における右側（＋Ｙ側）の端部に配置されている。
【００５４】
第１部材７３ａの第１接続部７３ｃには、下側板バネ部材６０Ｂの第３部分６３が電気的に接続されている。第２部材７３ｂの第２接続部７３ｅには、下側板バネ部材６０Ｂの第４部分６４が電気的に接続されている。第１部材７３ａの第１端子部７３ｄと第２部材７３ｂの第２端子部７３ｆとには、図示しない外部電源の異極がそれぞれ接続される。第１部材７３ａのその他の構成は、第１金属板部材７２の第１部材７２ａの構成と同様である。第２部材７３ｂのその他の構成は、第１金属板部材７２の第２部材７２ｂの構成と同様である。
【００５５】
第１駆動部３０Ａおよび第２駆動部３０Ｂは、ＶＣＭである。第１駆動部３０Ａは、第１コイル３３と、複数の磁石と、を有している。第２駆動部３０Ｂは、第２コイル３４と、複数の磁石と、を有している。第１駆動部３０Ａおよび第２駆動部３０Ｂは、それぞれ第１レンズ保持部材３１および第２レンズ保持部材３２を光軸方向に駆動するものである。
【００５６】
第１コイル３３は、第１レンズ保持部材３１に設けられている。第１コイル３３は、第１レンズ保持部材３１に対して、第１中心軸Ｊ１周りに巻かれている。第１コイル３３の一端は、下側板バネ部材６０Ａの第１部分６１と電気的に接続されている。これにより、第１コイル３３の一端は、第１部分６１を介して第１部材７２ａと電気的に接続されている。第１コイル３３の他端は、下側板バネ部材６０Ａの第２部分６２と電気的に接続されている。これにより、第１コイル３３の他端は、第２部分６２を介して第２部材７２ｂと電気的に接続されている。
【００５７】
第２コイル３４は、第２レンズ保持部材３２に設けられている。第２コイル３４は、第２レンズ保持部材３２に対して、第２中心軸Ｊ２周りに巻かれている。本実施形態において第１コイル３３の巻かれる向きと第２コイル３４の巻かれる向きとは、互いに同じである。また、第１コイル３３の巻き回数（ターン数）と第２コイル３４の巻き回数とも、互いに同じになっている。
【００５８】
第２コイル３４の一端は、下側板バネ部材６０Ｂの第３部分６３と電気的に接続されている。これにより、第２コイル３４の一端は、第３部分６３を介して第１部材７３ａと電気的に接続されている。第２コイル３４の他端は、下側板バネ部材６０Ｂの第４部分６４と電気的に接続されている。これにより、第２コイル３４の他端は、第４部分６４を介して第２部材７３ｂと電気的に接続されている。
【００５９】
なお、各図において第１コイル３３および第２コイル３４は、全体の概略形状を模式的に示している。
【００６０】
第１駆動部３０Ａの磁石は、第１コイル３３と径方向（左右方向）に対向している。第１駆動部３０Ａの磁石は、兼用磁石４３と、第１磁石４１と、を含む。第２駆動部３０Ｂの磁石は、第２コイル３４と径方向（左右方向）に対向している。第２駆動部３０Ｂの磁石は、兼用磁石４３と、第２磁石４２と、を含む。
【００６１】
兼用磁石４３は、１つのみ設けられており、第１駆動部３０Ａの磁石と第２駆動部３０Ｂの磁石とを兼ねている。本実施形態においては、第１駆動部３０Ａの磁石は２つであり、第２駆動部３０Ｂの磁石は２つである。そのため、兼用磁石４３は、第１駆動部３０Ａの磁石の一部（１つ）と第２駆動部３０Ｂの磁石の一部（１つ）とを兼ねている。
【００６２】
兼用磁石４３は、第１コイル３３と第２コイル３４との間に配置されている。兼用磁石４３は、図４に示すように、下側板バネ部材６０Ａ，６０Ｂの上面に配置された絶縁性の支持部材４４と板バネ保持部材２５とによって上下方向に挟持されて保持されている。なお、兼用磁石４３と板バネ保持部材２５との間には、上側板バネ部材５０が介在しており、兼用磁石４３の上面は、接着剤等によって、板バネ保持部材２５および上側板バネ部材５０と固定されている。
【００６３】
兼用磁石４３は、図３および図４に示すように、第１コイル３３と対向する第１面４３ａと、第２コイル３４と対向する第２面４３ｂとを有する。兼用磁石４３は、前後方向に延びている。兼用磁石４３は、略直方体状である。
【００６４】
兼用磁石４３は、第１コイル３３側の磁極、すなわち第１面４３ａの磁極と、第２コイル３４側の磁極、すなわち第２面４３ｂの磁極と、が互いに異なる。図４では、第１面４３ａの磁極は、Ｓ極である。第２面４３ｂの磁極は、Ｎ極である。
【００６５】
第１磁石４１は、左右方向において、第１コイル３３を挟んで兼用磁石４３と反対側に配置されている。第１磁石４１は、カバー２０の側板部２２の内側面に接着剤等によって固定されている。第１磁石４１の上端は、上側板バネ部材５０の下面と接触している。そして、上側板バネ部材５０と板バネ保持部材２５とは、第１磁石４１とカバー２０の天板部２１との間に挟持されている。
【００６６】
第１磁石４１は、第１コイル３３と対向する第１面４１ａと、第１面４１ａと反対側（径方向外側）の第２面４１ｂと、を有する。第２面４１ｂは、側板部２２の内側面と接触している。第１磁石４１は、図３に示すように、前後方向に延びている。第１磁石４１は、略直方体状である。
【００６７】
第１磁石４１は、第１コイル３３側の磁極、すなわち第１面４１ａの磁極と、第１コイル３３と反対側の磁極、すなわち第２面４１ｂの磁極と、が互いに異なる。図４では、第１面４１ａの磁極は、Ｓ極である。第２面４１ｂの磁極は、Ｎ極である。第１磁石４１の第１コイル３３側の磁極（第１面４１ａの磁極）と兼用磁石４３の第１コイル３３側の磁極（第１面４３ａの磁極）とは、互いに同じである（図４では、Ｓ極）。
【００６８】
第２磁石４２は、左右方向において、第２コイル３４を挟んで兼用磁石４３と反対側に配置されている。第２磁石４２は、カバー２０の側板部２２の内側面に接着剤等によって固定されている。第２磁石４２の上端は、上側板バネ部材５０の下面と接触している。そして、上側板バネ部材５０と板バネ保持部材２５とは、第２磁石４２とカバー２０の天板部２１との間に挟持されている。
【００６９】
第２磁石４２は、第２コイル３４と対向する第１面４２ａと、第１面４２ａと反対側（径方向外側）の第２面４２ｂと、を有する。第２面４２ｂは、側板部２２の内側面と接触している。第２磁石４２は、図３に示すように、前後方向に延びている。第２磁石４２は、略直方体状である。本実施形態において、第１磁石４１の形状と第２磁石４２の形状とは、例えば、互いに同じである。したがって、本実施形態においては、直方体状をなした第１磁石４１の長さ寸法（Ｘ軸方向の寸法）、幅寸法（Ｙ軸方向の寸法）、および高さ寸法（Ｚ軸方向の寸法）は、それぞれ第２磁石４２と同じとなっている。
【００７０】
第２磁石４２は、第２コイル３４側の磁極、すなわち第１面４２ａの磁極と、第２コイル３４と反対側の磁極、すなわち第２面４２ｂの磁極と、が互いに異なる。図４では、第１面４２ａの磁極は、Ｎ極である。第２面４２ｂの磁極は、Ｓ極である。第２磁石４２の第２コイル３４側の磁極（第１面４２ａの磁極）と兼用磁石４３の第２コイル３４側の磁極（第２面４３ｂの磁極）とは、互いに同じである（図４では、Ｎ極）。
【００７１】
第１コイル３３と対向する各磁石の第１コイル３３側の磁極と、第２コイル３４と対向する各磁石の第２コイル３４側の磁極とは、互いに異なる。
【００７２】
兼用磁石４３の左右方向の寸法Ｔ３は、第１磁石４１の左右方向の寸法Ｔ１および第２磁石４２の左右方向の寸法Ｔ２よりも大きい。第１磁石４１の寸法Ｔ１と第２磁石４２の寸法Ｔ２とは、例えば、互いに同じである。
【００７３】
なお、本明細書において、各磁石同士の左右方向の寸法の比較は、第１磁石、第１コイル、兼用磁石、第２コイルおよび第２磁石を通り左右方向に平行な仮想線上における比較とする。すなわち、各磁石の左右方向の寸法が上下方向あるいは前後方向の位置によって異なる場合であっても、上記の仮想線上において各磁石同士の左右方向の寸法の関係が成り立っていればよい。
【００７４】
また、本明細書において、「各磁石同士の左右方向の寸法が互いに同じである」とは、各磁石同士の左右方向の寸法が厳密に同じである場合に加えて、各磁石同士の左右方向の寸法が互いに略同じである場合も含む。各磁石同士の左右方向の寸法が互いに略同じとは、各磁石同士の左右方向の寸法比が、例えば、０．９以上、１．１以下程度の場合を含む。
【００７５】
第１磁石４１と第１コイル３３との間の左右方向の距離と兼用磁石４３と第１コイル３３との間の左右方向の距離とは、例えば、互いに同じである。第２磁石４２と第２コイル３４との間の左右方向の距離と兼用磁石４３と第２コイル３４との間の左右方向の距離とは、例えば、互いに同じである。また、第１磁石４１と第１コイル３３との間の左右方向の距離と第２磁石４２と第２コイル３４との間の左右方向の距離とは、例えば、互いに同じである。
【００７６】
なお、本明細書において、各磁石と各コイルとの間の左右方向の距離の比較は、第１磁石、第１コイル、兼用磁石、第２コイルおよび第２磁石を通り左右方向に平行な仮想線上における比較とする。すなわち、各磁石と各コイルとの間の左右方向の距離が上下方向あるいは前後方向の位置によって異なる場合であっても、上記の仮想線上において各磁石と各コイルとの間の左右方向の距離の関係が成り立っていればよい。
【００７７】
兼用磁石４３において、Ｎ極である第２面４３ｂから放出された磁束は、第２コイル３４を左右方向（図４では右向き）に通過して、第２レンズ保持部材３２の径方向内側に入る。第２レンズ保持部材３２の径方向内側に入った磁束は、第２磁石４２からの磁束と反発して上下方向両側に進み、天板部２１内あるいはベース部７０側を通って左右方向の第１レンズ保持部材３１側（左側）に進む。天板部２１内あるいはベース部７０側を進む磁束は、第１磁石４１からの磁束と反発して第１レンズ保持部材３１の径方向内側に入り、第１コイル３３を左右方向（図４では右向き）に通過して、Ｓ極である第１面４３ａから兼用磁石４３に戻る。
【００７８】
なお、本実施形態においては、カバー２０が磁性体製の金属で形成されているため、兼用磁石４３から発せられた磁束は、天板部２１内を通るものが支配的となり、ベース部７０側を通るものは多くはない。また、兼用磁石４３の延在方向である前後方向の両端部近傍には、内ヨークとして機能する内壁部２３ｃ，２３ｄが設けられているため、兼用磁石４３からの磁束を効率的に第１コイル３３に作用させることができる。同様に、内壁部２４ａ，２４ｂが内ヨークとして機能することで、兼用磁石４３からの磁束を効率的に第２コイル３４に作用させることができる。
【００７９】
第１磁石４１において、Ｎ極である第２面４１ｂから放出された磁束は、側板部２２の内側面からカバー２０内に入る。カバー２０内に入った磁束は、側板部２２内を上下方向両側に進み、天板部２１内あるいはベース部７０側を左右方向の第１レンズ保持部材３１側（右側）に進む。天板部２１内あるいはベース部７０側を進む磁束は、兼用磁石４３からの磁束と反発して第１レンズ保持部材３１の径方向内側に入り、第１コイル３３を左右方向（図４では左向き）に通過して、Ｓ極である第１面４１ａから第１磁石４１に戻る。
【００８０】
なお、第１磁石４１から発せられた磁束は、天板部２１内を通るものが支配的となっており、ベース部７０側を通るものは少ない。また、内ヨークとして機能する内壁部２３ａ，２３ｂがカバー２０に設けられているので、第１磁石４１からの磁束を効率的に第１コイル３３に作用させることができる。
【００８１】
第２磁石４２において、Ｎ極である第１面４２ａから放出された磁束は、第２コイル３４を左右方向（図４では左向き）に通過して、第２レンズ保持部材３２の径方向内側に入る。第２レンズ保持部材３２の径方向内側に入った磁束は、兼用磁石４３からの磁束と反発して上下方向両側に進み、天板部２１内あるいはベース部７０側を左右方向の第２磁石４２側（右側）に進む。天板部２１内あるいはベース部７０側を進む磁束は、側板部２２内に入り、側板部２２を介して、Ｓ極である第２面４２ｂから第２磁石４２に戻る。
【００８２】
なお、第２磁石４２から発せられた磁束は、天板部２１内を通るものが支配的であり、ベース部７０側を通るものは少ない。また、内ヨークとして機能する内壁部２４ｃ，２４ｄがカバー２０に設けられているので、第２磁石４２からの磁束を効率的に第２コイル３４に作用させることができる。
【００８３】
各磁石によって、上記のような磁気回路が生じた状態で、第１コイル３３および第２コイル３４に電流を流すと、フレミングの左手の法則に基づいて、第１コイル３３および第２コイル３４に上下方向のローレンツ力が生じる。これにより、第１コイル３３と第２コイル３４とのそれぞれを介して、第１レンズ保持部材３１と第２レンズ保持部材３２とをレンズ体の光軸方向である上下方向に駆動することができる。
【００８４】
具体的に本実施形態においては、第１コイル３３に平面視で時計回り向きの電流を流した場合には、第１コイル３３には上向きのローレンツ力が生じて、第１レンズ保持部材３１が上向きに移動する。一方、第１コイル３３に、平面視で反時計回り向きの電流を流した場合には、第１コイル３３には下向きのローレンツ力が生じて、第１レンズ保持部材３１が下向きに移動する。
【００８５】
第１レンズ保持部材３１が上下方向に移動すると、上側板バネ部材５０のバネ部５２ｃおよび下側板バネ部材６０Ａのバネ部６１ｃ，６２ｃが弾性変形し、第１レンズ保持部材３１が移動する向きと逆向きの弾性力を第１レンズ保持部材３１に加える。第１レンズ保持部材３１の移動は、第１コイル３３に生じたローレンツ力とバネ部５２ｃ，６１ｃ，６２ｃによる弾性力の合成力とが上下方向において釣り合う箇所で停止する。
【００８６】
なお、図４においては、第１レンズ保持部材３１が上側に移動した状態で停止している場合を示している。この場合、各保持部５２ａ，５２ｂ，６１ｂ，６２ｂは、各固定部５１，６１ａ，６２ａよりも上側に位置しており、第１レンズ保持部材３１に下向きの弾性力を加えている。これは、第２レンズ保持部材３２についても同様である。
【００８７】
第１コイル３３に生じるローレンツ力は、第１コイル３３に供給される電流の大きさを変更することで変えることができる。したがって、第１コイル３３に供給する電流の大きさを調整することで、各バネ部５２ｃ，６１ｃ，６２ｃの弾性力の合成力との釣り合いの位置を変えて、第１レンズ保持部材３１の上下方向の位置を調整することができる。第１コイル３３への電流の供給は、第１金属板部材７２に接続された図示しない外部電源によって行われる。具体的には、外部電源から、第１部材７２ａ、第１部分６１、第１コイル３３、第２部分６２、第２部材７２ｂの順、あるいはこの逆順に電流が流れることによって、第１コイル３３に電流が供給される。
【００８８】
本実施形態において第２コイル３４を通過する磁束の向きは、第１コイル３３を通過する磁束の向きと反対向きである。そのため、第２レンズ保持部材３２を第１レンズ保持部材３１と上下方向の同じ向きに移動させるためには、第２コイル３４に第１コイル３３に供給するのと反対向きとなるように電流を供給すればよい。第２コイル３４への電流の供給は、第１コイル３３と同様に、図示しない外部電源によって行われる。
【００８９】
第１コイル３３に電流を供給する外部電源と、第２コイル３４に電流を供給する外部電源とは、同じ外部電源であってもよいし、異なる外部電源であってもよい。
【００９０】
レンズ駆動装置１０を備えたカメラにおいては、各レンズ保持部材に保持されるレンズ体を含んでそれぞれ構成されるカメラユニットによって、例えば、立体的な画像の撮影が可能である。また、例えば、各カメラユニットによって撮影された各画像を合成し、所定の処理を行うことで、撮影された画像の解像度を向上させることもできる。
【００９１】
本実施形態によれば、第１コイル３３と第２コイル３４との間に配置された兼用磁石４３が、第１駆動部３０Ａの磁石と第２駆動部３０Ｂの磁石とを兼ねている。そのため、第１駆動部３０Ａの第２駆動部３０Ｂ側の磁気回路および第２駆動部３０Ｂの第１駆動部３０Ａ側の磁気回路の両方を、兼用磁石４３によって生じさせることができる。したがって、各駆動部同士間において磁束の干渉が生じない。これにより、第１駆動部３０Ａと第２駆動部３０Ｂとを近づけてレンズ駆動装置１０を小型化する場合であっても、磁気回路の設計が困難になることがなく、容易に磁気回路の設計を行うことができる。また、第１駆動部３０Ａと第２駆動部３０Ｂとを所望する位置に配置することができる。以上により、本実施形態によれば、複数のレンズ保持部材を備え、設計を容易としつつ、小型化できるレンズ駆動装置１０が得られる。
【００９２】
また、本実施形態によれば、第１コイル３３を挟んで左右方向の反対側に第１磁石４１が設けられている。第１磁石４１の第１コイル３３側の磁極と兼用磁石４３の第１コイル３３側の磁極とは、互いに同じである。そのため、第１磁石４１によって生じる磁気回路において第１コイル３３を通る磁束の向きと、兼用磁石４３によって生じる磁気回路において第１コイル３３を通る磁束の向きとは、互いに逆向きとなる。また、第１磁石４１からの磁束が作用する部分における第１コイル３３を流れる電流の向きと、兼用磁石４３からの磁束が作用する部分における第１コイル３３を流れる電流の向きとは、互いに逆向きである。これにより、第１コイル３３に電流を流した際に、左右方向の両側において生じるローレンツ力の向きを同じにできる。このように、第１コイル３３の左右方向の両側に第１磁石４１と兼用磁石４３とが設けられていることで、２つの磁石で安定して第１レンズ保持部材３１を光軸方向である上下方向に駆動させることができる。これは、第２駆動部３０Ｂについても同様である。
【００９３】
また、本実施形態によれば、磁性体製のカバー２０が設けられ、カバー２０の内側面に第１磁石４１が固定されている。そのため、カバー２０が第１磁石４１に対してヨークとして機能し、第１磁石４１よって生じる磁気回路の磁束密度を大きくできる。これにより、第１コイル３３の第１磁石４１側に生じるローレンツ力を大きくすることができ、第１駆動部３０Ａによって第１レンズ保持部材３１に加えられる駆動力を大きくできる。
【００９４】
一方、兼用磁石４３の左右方向の寸法は、第１磁石４１の左右方向の寸法よりも大きい。そのため、兼用磁石４３から放出される磁束の量は、第１磁石４１から放出される磁束の量よりも多い。これにより、兼用磁石４３によって生じる磁気回路の磁束密度を大きくすることができ、第１コイル３３の兼用磁石４３側に生じるローレンツ力を大きくすることができる。したがって、第１コイル３３の第１磁石４１側と第１コイル３３の兼用磁石４３側とで、発生するローレンツ力のバランスを取ることができ、第１レンズ保持部材３１に安定して上下方向の駆動力を加えることができる。以上のように、本実施形態によれば、第１コイル３３に生じるローレンツ力を左右方向のバランスよく大きくすることができる。これは、第２駆動部３０Ｂについても同様である。
【００９５】
また、本実施形態によれば、第１コイル３３の巻かれる向きと第２コイル３４の巻かれる向きとは同じである。そのため、第１コイル３３および第２コイル３４として、それぞれ同じ種類のコイルを用いることができる。これにより、レンズ駆動装置１０に使用される部品の種類数を少なくでき、レンズ駆動装置１０の製造コストを低減できる。また、第１コイル３３と第２コイル３４とを取り違えて組み立てることが防止されるため、レンズ駆動装置１０の組み立て効率を向上でき、生産性を向上できる。
【００９６】
また、第１コイル３３と第２コイル３４との巻き回数（ターン数）は、同じであり、第１レンズ保持部材３１の形状と第２レンズ保持部材３２の形状とも同じである。そのため、コイルが固定された状態のレンズ保持部材の種類を一つとすることができる。
【００９７】
また、本実施形態によれば、兼用磁石４３は、第１面４３ａと第２面４３ｂとを有し、前後方向に延びる形状である。そのため、兼用磁石４３を簡単な形状とでき、兼用磁石４３の製造を容易にできる。これにより、レンズ駆動装置１０の製造コストを低減できる。また、兼用磁石４３を、第１コイル３３と第２コイル３４との間の前後方向の全体に亘って配置しやすく、兼用磁石４３の磁気回路によって各コイルに生じるローレンツ力を大きくしやすい。
【００９８】
また、本実施形態によれば、内壁部２３ａ〜２３ｄが第１レンズ保持部材３１の突出部３５ａ〜３５ｄ同士の周方向の間に配置されている。そのため、内壁部２３ａ〜２３ｄによって第１レンズ保持部材３１が第１中心軸Ｊ１周りに回転することを抑制できる。また、内壁部２３ａ〜２３ｄが第１コイル３３と第１レンズ保持部材３１との径方向の間に配置されているため、内壁部２３ａ〜２３ｄを第１磁石４１および兼用磁石４３の内ヨークとして機能させることができるとともに、第１レンズ保持部材３１が第１中心軸Ｊ１の径方向に動くことを抑制できる。これらは、第２レンズ保持部材３２についても同様である。
【００９９】
なお、本発明は上述の実施形態に限られず、他の構成を採用することもできる。上述の実施形態と同様の構成については、適宜同一の符号を付すことにより説明を省略する場合がある。
【０１００】
レンズ保持部材は、３つ以上設けられていてもよい。この場合、例えば、３つ以上のレンズ保持部材が左右方向に並んで配置され、レンズ保持部材同士の左右方向の間にそれぞれ兼用磁石が配置される構成としてもよい。
【０１０１】
また、第１コイル３３と対向して設けられる磁石および第２コイル３４と対向して設けられる磁石は、それぞれ３つ以上であってもよい。この場合、３つ以上の磁石は、第１コイル３３の周りおよび第２コイル３４の周りに等間隔に設けられる構成としてもよい。また、この場合、３つ以上の磁石において第１コイル３３側の磁極は、互いに同じとしてもよい。３つ以上の磁石において第２コイル３４側の磁極は、互いに同じとしてもよい。
【０１０２】
また、第１コイル３３と対向して設けられる磁石および第２コイル３４と対向して設けられる磁石は、１つであってもよい。この場合、兼用磁石４３が第１駆動部３０Ａの磁石の全てと第２駆動部３０Ｂの磁石の全てとを兼ね、兼用磁石４３によって生じるローレンツ力のみで第１レンズ保持部材３１および第２レンズ保持部材３２が上下方向に駆動されてもよい。また、第１コイル３３と対向して設けられる磁石の数と、第２コイル３４と対向して設けられる磁石の数とは、互いに異なっていてもよい。
【０１０３】
また、第１レンズ保持部材３１が駆動される方向および第２レンズ保持部材３２が駆動される方向は、特に限定されず、上下方向以外の方向であってもよい。例えば、第１レンズ保持部材３１および第２レンズ保持部材３２は、前後方向に駆動されてもよい。この場合、各コイルは前後方向と平行な軸周りに巻かれる。また、第１レンズ保持部材３１が駆動される方向と、第２レンズ保持部材３２が駆動される方向とは、互いに異なっていてもよい。
【０１０４】
また、兼用磁石４３は、前後方向に沿って複数に分割されていてもよい。この場合、分割された兼用磁石４３のうち前後方向に隣り合う磁石は、互いに接触していてもよいし、互いに離れていてもよい。また、兼用磁石４３は、左右方向に沿って複数の磁石が貼り合わされて構成されていてもよい。兼用磁石４３の形状は、特に限定されず、左右方向の寸法が比較的小さい板状であってもよい。これらは、第１磁石４１および第２磁石４２についても同様である。
【０１０５】
また、第１磁石４１の寸法Ｔ１と第２磁石４２の寸法Ｔ２とは、互いに異なってもよい。この場合、例えば、各コイルと各磁石との間の距離を調整して、各レンズ保持部材に加えられるローレンツ力を調整してもよい。また、各磁石の磁力は互いに異なっていてもよい。
【０１０６】
また、第１コイル３３が巻かれる向きと第２コイル３４が巻かれる向きとは、互いに逆向きであってもよい。
【０１０７】
＜第２実施形態＞
図６は、本実施形態のレンズ駆動装置１１０を示す断面図である。図６に示すレンズ駆動装置１１０においてカバー１２０は、非磁性体製である。カバー１２０は、例えば、非磁性の金属製または樹脂製である。カバー１２０のその他の構成は、第１実施形態のカバー２０の構成と同様である。
【０１０８】
レンズ駆動装置１１０において兼用磁石１４３の左右方向の寸法Ｔ４は、第１磁石４１の左右方向の寸法Ｔ１および第２磁石４２の左右方向の寸法Ｔ２と同じである。また、兼用磁石１４３のその他の寸法も第１磁石４１および第２磁石４２と同じである。兼用磁石１４３は、磁力についても第１磁石４１および第２磁石４２と同じとなるように着磁されている。兼用磁石１４３のその他の構成は、第１実施形態の兼用磁石４３の構成と同様である。レンズ駆動装置１１０のその他の構成は、第１実施形態のレンズ駆動装置１０の構成と同様である。
【０１０９】
本実施形態によれば、カバー１２０が非磁性体製であるため、カバー１２０がヨークとして機能しない。そのため、第１磁石４１によって生じる磁気回路の磁束密度がカバー１２０によって大きくなることがない。これにより、第１磁石４１の寸法Ｔ１と兼用磁石１４３の寸法Ｔ４とを同じとすることで、第１コイル３３の左右方向両側に生じるローレンツ力のバランスを容易に取ることができる。具体的には、第１磁石４１と第１コイル３３との左右方向の距離と、兼用磁石４３と第１コイル３３との左右方向の距離と、を同じとすれば、第１コイル３３の左右方向の両側に生じるローレンツ力を同じにできる。これは、第２コイル３４についても同様である。
【０１１０】
また、第１磁石４１の寸法Ｔ１と第２磁石４２の寸法Ｔ２と兼用磁石１４３の寸法Ｔ４とが同じであるため、各磁石として同じ種類の磁石を用いることができる。これにより、レンズ駆動装置１１０の部品の種類数を少なくすることができ、レンズ駆動装置１１０の製造コストを低減できる。また、第１磁石４１と第２磁石４２と兼用磁石４３とを取り違えて組み立てることが防止されるため、レンズ駆動装置１１０の組み立て効率を向上でき、生産性を向上できる。また、各磁石の管理を容易にできる。
【０１１１】
なお、上記説明した各構成は、相互に矛盾しない範囲内において、適宜組み合わせることができる。
【符号の説明】
【０１１２】
１０，１１０…レンズ駆動装置、１０ａ…本体部、２０，１２０…カバー、３０Ａ…第１駆動部、３０Ｂ…第２駆動部、３１…第１レンズ保持部材、３２…第２レンズ保持部材、３３…第１コイル、３４…第２コイル、４１…第１磁石、４２…第２磁石、４３，１４３…兼用磁石、Ｊ１…第１中心軸、Ｊ２…第２中心軸
【図１】
2019090844.tif 000003
【図２】
2019090844.tif 000004
【図３】
2019090844.tif 000005
【図４】
2019090844.tif 000006
【図５】
2019090844.tif 000007
【図６】
2019090844.tif 000008